(57)【要約】本発明は、希釈剤、撥水剤などの内容物が充填された容器の取出口に結合される蓋の構造を開示する。  従来は、内部キャップと外部キャップとが別々に形成されており、分離及び結合作業が不便であり、さらに、分離後には汚染や破損及び紛失等のおそれがあった。このような問題点を解決するために、内側には内容物が充填され、上部一側には取出口が形成されている容器と、前記取出口の内側に挿入された内部キャップ及び前記取出口の外側に結合された外部キャップを含む容器の蓋の構造において、前記内部キャップは、上側に弾性力を有する連結部材が一体に形成され、この連結部材は、外部キャップの底面に固定されていることを特徴とする容器の蓋の構造が提供される。  本発明により、内部キャップ及び外部キャップが弾性力を有する連結部材によって連結されることにより、容器の取出口に内部キャップ及び外部キャップを分離及び結合することが容易になり、前記内部キャップに収容された磁石によって外部キャップが容器の外側に取り付けられるので、内部キャップ及び外部キャップの汚染や破損及び紛失を防止することができる。【選択図】図４
2009511374.tif 000002
【特許請求の範囲】
【請求項１】
内側には内容物が充填され、上部一側には取出口が形成された容器と、前記取出口の内側に挿入された内部キャップ及び前記取出口の外側に結合された外部キャップを含む容器の蓋の構造において、
前記内部キャップは、上側に弾性力を有する連結部材が一体に形成され、この連結部材は、外部キャップの底面に固定されていることを特徴とする容器の蓋の構造。
【請求項２】
前記内部キャップは、一側上部面に収容部が形成され、前記収容部内には磁石が収容されていることを特徴とする請求項１に記載の容器の蓋の構造。
【請求項３】
前記連結部材は、内部キャップの上側に一体に形成されたプルリングに連結されて外部キャップの底面に固定されていることを特徴とする請求項１に記載の容器の蓋の構造。
【請求項４】
内側には内容物が充填され、上部一側には取出口が形成された容器と、前記取出口の内側に挿入された内部キャップと、前記取出口の外側に結合された外周面には複数個のノッチが形成された外部キャップ、及び前記外部キャップの外側に挿入された保護部材を含む容器の蓋の構造において、
前記内部キャップは、上側に弾性力を有する連結部材が一体に形成され、この連結部材は、外部キャップの底面に固定されていることを特徴とする容器の蓋の構造。
【請求項５】
前記内部キャップは一側上部面に収容部が形成されており、この収容部内には磁石が収容されていることを特徴とする請求項４に記載の容器の蓋の構造。
【請求項６】
前記連結部材は、内部キャップの上側に一体に形成されたプルリングに連結されて外部キャップの底面に固定されていることを特徴とする請求項４に記載の容器の蓋の構造。
【発明の詳細な説明】
【技術分野】
【０００１】
本発明は容器の蓋の構造に関し、より詳細には、外部キャップと内部キャップとを連結して確実に密閉できるようにして、便利に使用できるようにし容器の蓋の構造に関するものである。
【背景技術】
【０００２】
一般的に、ペイント、希釈剤や撥水剤等は、金属製容器内に充填され、取出口側には合成樹脂製の内部キャップが結合され、その外側には、金属製外部キャップが結合されている構成を有する。
【０００３】
図１は、このような従来の希釈剤等が充填された容器の蓋を示した分解斜視図で、これは内部に内容物が充填された容器１０の上部一側には取出口１１が形成され、前記取出口１１にはプルリング１２ａを有する内部キャップ１２が挿入され、その上側には外部キャップ１３が前記取出口１１の外側にねじ結合されている。
【０００４】
このような構造において、内容物を取り出す場合には、外部キャップ１３を取出口１１から分離した後、プルリング１２ａを引っ張って内部キャップ１２を分離して、取出口１１から内容物を出して使用することが可能となる。
【０００５】
また、図２は、撥水剤等が内部に充填されている容器の蓋の構造を示した分解斜視図である。容器２０の上部一側には取出口２１が形成されており、前記取出口２１の内側にはプルリング２２ａを有する内部キャップ２２が挿入され、前記取出口２１の外側には外周面に複数個のノッチ２３ａを有する外部キャップ２３が結合され、前記外部キャップ２３の外側にはプルリング２４ａを有する保護部材２４が結合されていて前記外部キャップ２３が簡単に分離しないようにする。
【０００６】
このため、プルリング２４ａを引っ張ると保護部材２４が外部キャップ２３から分離され、さらに、外部キャップ２３の上端中央を押すと弾性力によって周縁のノッチ２３ａが広がって取出口２１から外部キャップ２３を分離することができる。その後、プルリング２２ａを引っ張って内部キャップ２２を分離することで、取出口２１から容器２０内に充填されている内容物を取り出すことが可能になる。
【０００７】
しかし、このような従来容器の蓋の構造は、作業者が手袋を嵌めて作業するため内部キャップのプルリングを引っ張ることが不便であり、また内部キャップ及び外部キャップを置いておく場所がないので、汚染し易く、取出口を再封止する場合、内容物を汚染する可能性や、紛失したり破損したりするという問題点がある。
【発明の開示】
【発明が解決しようとする課題】
【０００８】
そこで、本発明は上記従来の問題点に鑑みてなされたものであって、本発明の目的は、内部キャップ及び外部キャップの分離及び結合が容易な容器の蓋の構造を提供することである。
【０００９】
本発明の他の目的は、内部キャップ及び外部キャップの汚染や破損及び紛失を防止することができる容器の蓋の構造を提供することである。
【課題を解決するための手段】
【００１０】
上記目的を達成するためになされた本発明による容器の蓋の構造は、内側には内容物が充填され、上部一側には取出口が形成された容器と、前記取出口の内側に挿入された内部キャップ、及び前記取出口の外側に結合された外部キャップを含む容器の蓋の構造において、前記内部キャップは、上側に弾性力を有する連結部材が一体に形成されており、この連結部材は外部キャップの底面に固定されていることを特徴とする。
【００１１】
また、本発明は、内側には内容物が充填され、上部一側には取出口が形成された容器と、前記取出口の内側に挿入された内部キャップと、前記取出口の外側に結合された外周面には複数個のノッチが形成された外部キャップ、及び前記外部キャップの外側に挿入された保護部材を含む容器の蓋の構造において、前記内部キャップは、上側に弾性力を有する連結部材が一体に形成され、この連結部材は外部キャップの底面に固定されていることを特徴とする容器の蓋の構造を提供する。
【００１２】
すなわち、本発明によれば、内部キャップ及び外部キャップが弾性力を有する連結部材により連結されることにより、容器の取出口から内部キャップ及び外部キャップを分離したり結合することが容易になり、前記内部キャップに収容された磁石により外部キャップが容器の外側に取り付けられるので、内部キャップ及び外部キャップの汚染や破損及び紛失を防止することができる。
【発明の効果】
【００１３】
本発明によれば、内部キャップ及び外部キャップが弾性力を有する連結部材により連結されることにより、容器の取出口から内部キャップ及び外部キャップを分離したり結合することが容易になり、前記内部キャップに収容された磁石により外部キャップを容器の外側に取り付けることができるので、内部キャップ及び外部キャップの汚染や破損及び紛失を防止できるという効果がある。
【発明を実施するための最良の形態】
【００１４】
以下、添付した図面を参照して本発明の好ましい実施例を詳細に説明する。
【００１５】
図３〜図６は、本発明の一実施例による容器の蓋の構造を示す図である。図３は、本実施例による容器の蓋の構造を示した分解斜視図であり、図４は、本実施例による容器の蓋の構造を示した結合断面図である。
【００１６】
図示するように、内部に希釈剤などの内容物が充填された容器３０の上部一側には取出口３１が上側に延長形成されており、前記取出口３１の内側には合成樹脂製の内部キャップ４０が緊密に挿入され、その外側には金属製の外部キャップ５０がねじ結合されている。
【００１７】
前記内部キャップ４０は、上部に形成された収容部４１内に磁石４２が挿入され、その他側には、弾性力を有する連結部材４３が一体に形成されている。
【００１８】
なお、前記連結部材４３の先端は、外部キャップ５０の中央にリベット５１により固定されている。
【００１９】
このように構成された本実施例では、図４に示したように、内部キャップ４０及び外部キャップ５０が連結部材４３でリベット５１により固定された状態で、容器３０の取出口３１に外部キャップ５０を結合すると、取出口３１の内側には内部キャップ４０が挿入されて密閉され、その外側には外部キャップ５０が結合された状態を維持するようになる。
【００２０】
このとき、外部キャップ５０及び内部キャップ４０を取出口３１から分離しようとする場合は、図５に示したように、外部キャップ５０を回転させて取出口３１とのねじ結合状態を解除すると、連結部材４３の弾力性により外部キャップ５０が取出口３１の上側に所定の距離離隔され、これによって前記外部キャップ５０を上側に引っ張ると、内部キャップ４０が取出口３１から分離される。
【００２１】
なお、分離した外部キャップ５０及び内部キャップ４０は、容器３０の所定位置に磁石４２の磁性により取り付けられるので、汚染や破損または紛失を防止することができる。
【００２２】
前記連結部材４３は、内部キャップ４０の上部面に一体に形成することに限定せず、例えば、図６に示したように、内部キャップ４０の上部面にプルリング４４を一体に形成し、このプルリング４４に弾性力を有する別途の連結部材４３ａを連結し、その先端はリベット５１により外部キャップ５０に固定されても、外部キャップ５０を分離したとき、プルリング４４及び連結部材４３ａの弾性力により外部キャップ５０と内部キャップ４０とが所定の間隔を維持し、外部キャップ５０及び内部キャップ４０の分離が容易になる。
【００２３】
次に、図７〜図１０は、本発明の他の実施例による容器の蓋の構造を示す図である。図７は、本実施例による容器の蓋の構造の分解斜視図であり、図８は、本実施例による容器の蓋の構造の結合断面図である。
【００２４】
撥水剤などの内容物が充填された金属製容器７０の上部一側には取出口７１が上側に延長形成されており、前記取出口７１の内側には合成樹脂製の内部キャップ８０が挿入固定され、その外側には金属製の外部キャップ９０が結合され、前記外部キャップ９０の外側には合成樹脂製の保護部材１００が挿入されている。
【００２５】
前記内部キャップ８０は、上部一側に収容部８１が形成されており、この収容部８１の内側には磁石８２が挿入され、その一側には連結部材８３が一体に形成され、前記連結部材８３の先端は外部キャップ９０にリベット９１により固定されている。
【００２６】
前記外部キャップ９０は、外周面に等間隔で複数個のノッチ９２が形成されている。
【００２７】
なお、前記保護部材１００の上側にはプルリング１０１が一体に形成されている。
【００２８】
このように構成された本実施例では、図８に示したように、内部キャップ８０及び外部キャップ９０が連結部材８３でリベット９１により固定された状態で、容器７０の取出口７１に外部キャップ９０を結合し、この外部キャップ９０の外側に保護部材１００を挿入すると、取出口７１の内側には内部キャップ８０が挿入されて密閉され、その外側には外部キャップ９０及び保護部材１００が結合された状態を維持するようになる。
【００２９】
また、外部キャップ９０及び内部キャップ８０を取出口７１から分離しようとする場合は、まずプルリング１０１を上側に引っ張って保護部材１００を外部キャップ９０から分離し、図９に示したように、外部キャップ９０の中央を押すと、弾性力によってノッチ９２が広がって外部キャップ９０と取出口７１との結合状態が解除される。
【００３０】
このとき、前記外部キャップ９０は、連結部材８３の弾力性によって外部キャップ９０が取出口７１の上側に所定の距離離隔され、これによって前記外部キャップ９０を上側に引っ張ると内部キャップ８０が取出口７１から分離される。
【００３１】
なお、分離した外部キャップ９０及び内部キャップ８０は、容器７０の所定位置に磁石８２の磁性によって取り付けることができるので、汚染や破損及び紛失を防止することができる。
【００３２】
前記連結部材８３は、内部キャップ８０の上部面一体に形成することに限定しない。例えば、図１０に示したように、内部キャップ８０の上部面にプルリング８４を一体に形成し、このプルリング８４に弾性力を有する別途の連結部材８３ａを連結し、その先端はリベット９１により外部キャップ９０に固定されても、外部キャップ９０を分離したとき、プルリング８４及び連結部材８３ａの弾性力によって外部キャップ９０が内部キャップ８０と所定の間隔を維持して、外部キャップ９０及び内部キャップ８０の分離が容易になる。
【００３３】
尚、本発明は、上述の実施例に限られるものではない。本発明の技術的範囲から逸脱しない範囲内で多様に変更実施することが可能である。
【産業上の利用可能性】
【００３４】
以上のように、本発明によれば、内部キャップ及び外部キャップが弾性力を有する連結部材により連結されることにより、容器の取出口から内部キャップ及び外部キャップを分離したり結合することが容易になる。また、前記内部キャップに収容された磁石により外部キャップを容器の外側に取り付けることができるので、内部キャップ及び外部キャップの汚染や破損及び紛失を防止できる。
【図面の簡単な説明】
【００３５】
【図１】図１は、従来の容器に適用された蓋の構造の一例を示した断面図である。
【図２】図２は、従来の容器に適用された蓋の構造の他の例を示した断面図である。
【図３】図３は、本発明による容器の蓋の構造を示した分解斜視図である。
【図４】図４は、本発明による容器の蓋の結合状態を示した拡大断面図である。
【図５】図５は、本発明の使用状態を示した拡大断面図である。
【図６】図６は、本実施例における蓋の他の変形例を示した斜視図である。
【図７】図７は、本発明による容器の蓋の構造を示した分解斜視図である。
【図８】図８は、本発明による容器の蓋の結合状態を示した拡大断面図である。
【図９】図９は、本発明の使用状態を示した拡大断面図である。
【図１０】図１０は、本実施例における蓋の他の変形例を示した斜視図である。
【図１】
2009511374.tif 000003
【図２】
2009511374.tif 000004
【図３】
2009511374.tif 000005
【図４】
2009511374.tif 000006
【図５】
2009511374.tif 000007
【図６】
2009511374.tif 000008
【図７】
2009511374.tif 000009
【図８】
2009511374.tif 000010
【図９】
2009511374.tif 000011
【図１０】
2009511374.tif 000012
【国際調査報告】
2009511374.tif 000013
2009511374.tif 000014